(57)【特許請求の範囲】
【請求項１】
ログデータを圧縮するログデータ圧縮プログラムであって、
コンピュータに、
ログレコードを記憶した更新ログファイル、
ログ種別毎のデータ反映時間を記憶した反映時間データベース、
単位データ量当たりのデータ解凍時間を記憶した解凍時間データベース、
圧縮対象ログファイルの一端のログレコードから順にログ毎に要する反映時間の総和を求める反映時間算出手段、
圧縮対象ログファイルの他端のログレコードから逆順にログ毎に要する解凍時間の総和を求める解凍時間算出手段、
前記反映時間と前記解凍時間の総和について比較する時間比較手段、
総和が少ない時間について次のログレコードのデータを取得する手段、
前記反映時間の算出対象のログレコード番号が前記解凍時間の算出対象のログレコード番号以上となったとき、解凍時間の総和に含まれるログレコードについて圧縮処理を行う圧縮手段、
として機能させることを特徴とするログデータ圧縮プログラム。
【請求項２】
前記解凍時間算出手段にて前記解凍時間の総和を求める際に、当該ログレコードについての第二の反映時間の総和についても算出しておき、
前記更新ログファイルにおいて追加されたログレコードが存在し、当該ログレコードについてデータ圧縮処理を行う場合には、
前記反映時間算出手段において、前記第二の反映時間の総和を、今回のデータ圧縮処理についての反映時間の総和に加える
ことを特徴とする請求項１記載のログデータ圧縮プログラム。
【請求項３】
ログデータを圧縮するログデータ圧縮方法であって、
ログレコードに対して、
圧縮対象ログファイルの一端のログレコードから順にログ毎に要する反映時間の総和を予め記憶されたログ種別毎のデータ反映時間に基づき求める反映時間算出ステップ、
圧縮対象ログファイルの他端のログレコードから逆順にログ毎に要する解凍時間の総和を予め記憶された単位データ量当たりのデータ解凍時間に基づき求める解凍時間算出ステップ、
前記反映時間と前記解凍時間の総和について比較するステップ、
総和が少ない時間について次のログレコードのデータを取得するステップ、
前記反映時間の算出対象のログレコード番号が前記解凍時間の算出対象のログレコード番号以上となったとき、解凍時間の総和に含まれるログレコードについて圧縮処理を行うステップ、
からなることを特徴とするログデータ圧縮方法。
【発明の詳細な説明】
【技術分野】
【０００１】
本発明は、ログデータを圧縮する方式に関し、特に圧縮対象とするデータ範囲を決定する方式に関する。
【背景技術】
【０００２】
データが更新されるデータシステムにおいては、その扱うデータ量が膨大である場合には、データ更新がある度にマスタデータのデータベースの更新を行うことは、処理時間が不足しており、事実上不可能となっている。そこで、差分情報である更新されたデータをログファイルとして保存しておき、任意の時点において当該ログファイルを用いてマスターデータのデータベースを一括して更新処理を行うことが一般的に行われている。
【０００３】
上記のデータシステムにおいて災害等が発生し、当該データシステムで用いているデータベースのデータの復元を行う際、直前のマスターデータと、当該マスタデータ以降のログファイルを用いて、当該マスターデータに当該ログファイルを順次反映させることにより最新のデータシステムを復元させる。
【０００４】
また、履歴データを圧縮しておき、利用時に復元する手法は存在する（例えば、特許文献１参照。）。ここでは、圧縮されているデータを解凍する処理と、解凍済のデータを利用する処理とを並列で処理している。
【特許文献１】特開２００４−１８５４６０
【発明の開示】
【発明が解決しようとする課題】
【０００５】
マスタデータの作成及び保存は、事実上多くのコストを必要としており、出来るだけ少なくしたい要望がある。ここで、ログファイルはログファイル自身のデータ量が膨大であるため、かつ、ログファイルの格納領域が確保可能であればマスタデータの更新期間も長くすることが可能となるため、ログファイルは圧縮することが望ましい。一方で、データベースの故障等が発生した場合には当該データを復旧させる必要があるが、その場合にログファイルが圧縮されていたのではデータ解凍処理に時間を要することとなり迅速なデータ復旧が出来ない。  そこで、迅速なデータ復旧を可能とし、かつ、ログファイルの格納領域を有効活用が可能なデータ圧縮方法が必要とされている。
【課題を解決するための手段】
【０００６】
ログレコードを記憶した更新ログファイル、ログ種別毎のデータ反映時間を記憶した反映時間データベース、単位データ量当たりのデータ解凍時間を記憶した解凍時間データベース、圧縮対象ログファイルの一端のログレコードから順にログ毎に要する反映時間の総和を求める反映時間算出手段、圧縮対象ログファイルの他端のログレコードから逆順にログ毎に要する解凍時間の総和を求める解凍時間算出手段、前記反映時間と前記解凍時間の総和について比較する時間比較手段、前記反映時間と前記解凍時間のうち総和が少ない時間について次のログレコードのデータを取得する手段、前記反映時間の算出対象のログレコード番号が前記解凍時間の算出対象のログレコード番号以上となったとき、解凍時間の総和に含まれるログレコードについて圧縮処理を行う圧縮手段ことによってログデータを圧縮する。
【０００７】
また、前記解凍時間算出手段にて前記解凍時間の総和を求める際に、当該ログレコードについての第二の反映時間の総和についても算出しておき、前記更新ログファイルにおいて追加されたログレコードが存在し、当該ログレコードについてデータ圧縮処理を行う場合には、前記反映時間算出手段において、前記第二の反映時間の総和を、今回のデータ圧縮処理についての反映時間の総和に加えることによってログデータを圧縮する。
【発明の効果】
【０００８】
本発明により、データを反映するために要する時間の間に次のデータ反映のデータについて解凍処理を行うため、データ解凍のために独立して要する時間は不要となる。一方、データの圧縮が可能となるため、ログファイルの格納領域については、その記憶可能なデータ量が増加する。
【発明を実施するための最良の形態】
【０００９】
以下、本発明の実施の形態を図面を参照しながら説明する。
（実施例１）
図１は、本実施例におけるシステム構成図である。
【００１０】
本実施例でのシステムは、処理サーバ１０、データサーバ２０、更新ログファイル３０、反映時間データベース４０、解凍時間データベース５０、圧縮状況データベース６０、マスターデータ７０とから構成され、これらはネットワークによって接続されている。
【００１１】
データサーバ２０とは、処理サーバ１０から得られるデータ情報について更新ログファイル３０にデータを登録する処理、更新ログファイル３０に基づきマスターデータ７０へのデータを更新する処理、および、最新のデータベース情報を処理サーバ１０に提供する処理をする装置である。なお、ログファイルの反映処理とログファイルの解凍処理とは並行して行うことが可能である。
【００１２】
マスターデータ７０とは、任意の時点における当該データサーバが有するデータベース最新のデータ構成を言う。最新のデータベースは、データサーバ２０が有しているが、当該最新のデータベースが災害等の理由により失われた場合には、当該マスターデータ７０と更新ログファイルとにより最新のデータベースを復旧する。
【００１３】
処理サーバ１０とは、外部からの処理命令に基づきデータサーバ２０のデータ情報を参照して処理を行い、処理結果を当該外部に出力する処理、その際にデータ情報が更新された場合には、更新されたデータ情報をデータサーバ２０に送信する処理をする装置である。なお、データサーバ２０に対して処理サーバ１０は１台以上が接続される。
【００１４】
図２は、更新ログファイル３０の構成図である。
【００１５】
更新ログファイル３０とは、処理サーバ１０から得られる更新データについて時系列順に記憶したログファイルである。
【００１６】
ＳＥＣ番号３１とは、ログレコードに対して一意に付される番号である。
【００１７】
日時３２とは、データ更新により更新に関わるログが発生した日時である。
【００１８】
ログ種類３３とは、当該ログレコードのデータの種類を分類したものである。
【００１９】
内容３４とは、ログレコードの実体的な内容である。
【００２０】
処理サーバ１０でデータ情報の更新がなされると、その更新された日時３２とデータ情報に応じたログ種類３３が分類され、データ情報はデータサーバ２０に送られる。データサーバ２０では、登録するＳＥＣ番号３１を設定し更新ログファイル３０に格納する。同時にデータベースの情報も更新される。
【００２１】
図３は、反映時間データベース４０の構成図である。
【００２２】
反映時間データベース４０とは、データベースの復旧時において、ログデータのログ種類と当該ログデータのデータベースへの反映に要する時間との関連について予め記憶したものである。ログ種類４１とは、更新ログファイル３０のログ種類３３と同じ情報である。反映時間４２とは、当該ログ種類４１をデータベースに反映する際に要する時間である。
【００２３】
図４は、解凍時間データベース５０の構成図である。
【００２４】
解凍時間データベース５０とは、データベースの復旧時において、圧縮されたログデータを解凍する際に、解凍に要する時間について予め記憶したものである。バイト数５１とは扱うデータの大きさを示すものである。解凍時間５２とは、バイト数に応じて解凍に要する時間を記憶したものである。
【００２５】
図５は、圧縮状況データベース６０の構成図である。
【００２６】
圧縮状況データベース６０とは、更新ログファイル３０を圧縮した際に、対象のログレコード群の状態を管理するデータベースである。
【００２７】
開始ＳＥＣ番号６１とは、更新ログファイル３０の内、複数のログレコードを一つまとまりとして管理する際の先頭のログレコードに該当するＳＥＣ番号である。
【００２８】
終了ＳＥＣ番号６２とは、更新ログファイル３０の内、複数のログレコードを一つまとまりとして管理する場合の末尾のログレコードに該当するＳＥＣ番号である。
【００２９】
対ＩＤ６３とは、後述するログデータの圧縮処理において、一回の圧縮処理では、圧縮されるログレコード群と圧縮されないログレコード群の２種類のログレコード群が対となって生成されるが、それらの対となったログレコード群をひとつのまとまりとして管理するＩＤである。
【００３０】
圧縮フラグ６４とは、対応するログレコード群が圧縮対象であるのか否かを区別する情報である。本実施例では、対ＩＤ６３に対応して、圧縮対象ではないログレコード群については「０」を付し、圧縮対象であるログレコード群については「１」を付す。
【００３１】
反映時間６５とは、データベース復旧時において、当該一つのまとまりからなるログレコード群全体をデータベースに反映するために要する時間を記憶したものである。
【００３２】
解凍時間６６とは、当該圧縮された一つのまとまりからなるログレコード群全体を解凍するために要する時間を記憶したものである。
【００３３】
ファイル名６７とは、当該圧縮された一つのまとまりからなるログレコード群を保存するときの保存対象ファイル名である。
【００３４】
次に、更新ログファイル３０を圧縮する際の処理について説明する。
【００３５】
更新ログファイル３０の圧縮においては、反映時間を考慮して圧縮する必要がある。
【００３６】
ここで、データ情報の反映に要する時間については他の処理を行うことが可能である。したがって、当該反映に要する時間を他のデータ情報の解凍時間に充てることが出来れば、解凍処理待ちによるデータ情報の反映処理時間の遅延を防止することが可能となる。そこで、データベースへのデータ情報を反映させる時間に対応して他のデータを圧縮する必要がある。
【００３７】
なお、更新ログファイル３０の圧縮処理は、例えば一日の業務が完了した際に行う。マスターデータ７０への移行処理を例えば７日に一回とする場合、その間は、更新ログが７日分蓄積される。この７日分の更新ログを１日毎に圧縮することで、データ領域の有効活用が可能となる。
【００３８】
図６は、圧縮更新ログファイル３０特定のためのフローチャートである。
【００３９】
また、説明の便宜のため、図１０に更新ログファイル３０の模式図を示す。
【００４０】
データ圧縮プログラムは、前回の圧縮処理を行った後に、新規追加された更新ログファイル３０の有無を判断する（ＳＴ０１）。
新規に追加された更新ログファイル３０がない場合（ＳＴ０１：Ｎｏ）、圧縮処理を終了する。一方、新規に追加された更新ログファイル３０が存在する場合（ＳＴ０１：Ｙｅｓ）、ＳＴ０２以降の処理を行う。
【００４１】
まず、反映時間の総和を算出する変数として反映時間［ｈｔ］、解凍時間の総和を算出する変数として解凍時間［ｋｔ］、圧縮対象のログレコード群をデータ反映するために要する時間の総和を算出する変数として反映時間［Ｋｈｔ］の初期化をそれぞれ行う（ＳＴ０２）。初期化の結果、本実施例では反映時間［ｈｔ］、解凍時間［ｋｔ］、反映時間［Ｋｈｔ］は０となる。
【００４２】
次に、圧縮状況データベース６０から、新規追加された対象ログファイルの先頭ＳＥＣ番号を検索し、当該先頭ＳＥＣ番号の直前のＳＥＣ番号を抽出する（ＳＴ０３）。図１０では、（ａ１）が先頭ＳＥＣ番号を示し、（ａ２）が当該先頭ＳＥＣ番号の直前のＳＥＣ番号を示す。
【００４３】
抽出したＳＥＣ番号を含む圧縮状況データベース６０の開始ＳＥＣ番号と終了ＳＥＣ番号のレコード圧縮フラグにより、圧縮対象であったか否かを判定する（ＳＴ０４）。図１０では、（ａ２）において直前のＳＥＣ番号が圧縮対象であるのか否かの判断対象となる。
【００４４】
圧縮対象である場合（ＳＴ０４：Ｙｅｓ）、反映時間［ｈｔ］に圧縮状況データベース６０の該当レコードを含むレコードの反映時間を加算する（ＳＴ０５）。
【００４５】
本発明は、反映処理時間と解凍処理時間とを等しくすることにより、一方の処理が完了した場合に他方の処理が引き続きなされることによる、データ反映処理の遅延、データ圧縮効率の低減を防ぐことが目的である。したがって、前回の反映処理及び解凍処理により生じた解凍ログファイルについて、単独で反映処理を行うとすると、その間における解凍処理が行われないこととなり、データ反映処理が遅延する。また、反映処理の時間に対応して解凍する対象が存在することにより、より多くのログファイルの圧縮が可能となる。したがって、前回のログファイルの反映時間について、今回のログファイルの反映時間に加えることにより、当該反映時間に対する解凍処理を設定することが可能となる。そこで、ＳＴ０５において反映時間を加算することとした。
【００４６】
図１０では（ａ３）において直前のＳＥＣ番号を含むログレコード群に対応する反映時間６５を加算する。
【００４７】
次に、更新ログファイル３０の内、今回の圧縮対象となるログレコードの先頭ＳＥＣ番号を反映ＳＥＣ番号ｈｓ［ｘ］の初期値ｈｓ［０］として設定する（ＳＴ０６）。
【００４８】
また、更新ログファイル３０の内、今回の圧縮対象となるログレコードの末尾ＳＥＣ番号を解凍ＳＥＣ番号ｋｓ［ｙ］の初期値ｋｓ［Ｍ］として設定する（ＳＴ０７）。図１０では、（ａ４）の状態が該当する。
【００４９】
以上で初期値設定を行い、次に実際の圧縮対象の抽出処理を行う。
【００５０】
図７は、圧縮更新ログファイル３０特定のためのフローチャート（２）である。
【００５１】
また、説明の便宜のため、図１１に更新対象ログファイルの今回の圧縮対象についての模式図を示す。
【００５２】
データ圧縮プログラムは、反映ＳＥＣ番号ｈｓ［ｘ］と解凍ＳＥＣ番号ｋｓ［ｙ］とが等しいか否かを判定する（ＳＴ１１）。
【００５３】
反映ＳＥＣ番号ｈｓ［ｘ］と解凍ＳＥＣ番号ｋｓ［ｙ］とが等しい場合（ＳＴ１１：Ｙｅｓ）には、圧縮対象とするログレコード群が確定したこととなり、ＳＴ１２以降の処理を行う。
【００５４】
一方、反映ＳＥＣ番号ｈｓ［ｘ］と解凍ＳＥＣ番号ｋｓ［ｙ］とが等しくない場合（ＳＴ１１：Ｎｏ）、引き続きＳＥＣ番号毎に圧縮すべきか否かを判定すべくＳＴ１９以降の処理を行う。
【００５５】
データ圧縮プログラムは、反映時間［ｈｔ］と解凍時間［ｋｔ］との大小を比較する（ＳＴ１９）。
【００５６】
反映時間［ｈｔ］が解凍時間より小さい場合（ＳＴ１９：Ｙｅｓ）、反映ＳＥＣ番号ｈｓ［ｘ］に対応するログレコードについて、更新ログファイル３０のログ種類３３及び反映時間データベース４０のログ種類４１及び反映時間４２に基づき、当該ログレコードが要する反映時間［ｈｔｘ］の算出をし（ＳＴ２５）、反映時間［ｈｔ］に反映時間［ｈｔｘ］を加える（ＳＴ２６）。
【００５７】
図１１においては、（ｂ１）が該当し、［ｈｔ］と［ｈｔｘ］の総和を新たな［ｈｔ］とする。
【００５８】
そして、反映ＳＥＣ番号ｈｓ［ｘ］に１を加えたｈｓ［ｘ＋１］を新たな反映ＳＥＣ番号ｈｓ［ｘ］とし（ＳＴ２７）、ＳＴ１１以降の処理を行う。
【００５９】
図１１においては、（ｂ２）が該当し、ｈｓ［ｘ］に１を加えたｈｓ［ｘ＋１］を新たな反映ＳＥＣ番号ｈｓ［ｘ］としている。
【００６０】
また、反映時間［ｈｔ］が解凍時間［ｋｔ］以上の場合（ＳＴ１９：Ｎｏ）、解凍ＳＥＣ番号ｋｓ［ｙ］に対応する解凍時間［ｋｔｙ］を算出する（ＳＴ２０）。これは、解凍ＳＥＣ番号ｋｓ［ｙ］に対応するログレコードのバイト数を更新ログファイル３０の内容３４から求め、当該バイト数によって、解凍時間データベース５０のバイト数５１に対応する解凍時間５２を検索することにより求める。
【００６１】
ＳＴ２０で求めた解凍時間［ｋｔｙ］と解凍時間の総和である解凍時間［ｋｔ］とを加算し、新たな解凍時間［ｋｔ］を算出する（ＳＴ２１）。
【００６２】
図１１においては、（ｃ１）が該当し、［ｋｔ］と［ｋｔｙ］の総和を新たな［ｋｔ］とする。
【００６３】
次に、解凍ＳＥＣ番号ｋｓ［ｙ］のログレコードに対応する反映時間［Ｋｈｔｙ］の算出を更新ログファイル３０のログ種類３３及び反映時間データベース４０のログ種類４１及び反映時間４２に基づき行い（ＳＴ２２）、反映時間［Ｋｈｔ］に当該反映時間［Ｋｈｔｙ］を加え、新たな反映時間［Ｋｈｔ］とする（ＳＴ２３）。
【００６４】
そして、解凍ＳＥＣ番号ｋｓ［ｙ］から１を減らした解凍ＳＥＣ番号ｋｓ［ｙ−１］を新たな解凍ＳＥＣ番号ｋｓ［ｙ］とし（ＳＴ２４）、ＳＴ１１以降の処理を行う。
【００６５】
図１１においては、（ｃ２）が該当し、ｋｓ［ｙ］から１を減らしたｋｓ［ｙー１］を新たな反映ＳＥＣ番号ｋｓ［ｙ］としている。
【００６６】
次に、反映ＳＥＣ番号ｈｓ［ｘ］と解凍ＳＥＣ番号ｋｓ［ｙ］とが等しい場合（ＳＴ１１：Ｙｅｓ）には、以下の処理を行う。
【００６７】
データ圧縮プログラムは、今回の対象となる反映ＳＥＣ番号ｈｓ［ｘ］については、反映時間に加える処理を行うべく、更新ログファイル３０のログ種類３３及び反映時間データベース４０のログ種類４１及び反映時間４２に基づき、当該ログレコードが要する反映時間［ｈｔｘ］の算出をする（ＳＴ１２）。その後、反映時間［ｈｔ］に反映時間［ｈｔｘ］を足す（ＳＴ１３）。
【００６８】
図１１においては、（ｄ）が該当し、反映ＳＥＣ番号ｈｓ［ｘ］と解凍ＳＥＣ番号ｋｓ［ｙ］とが等しい状態となっている。また、反映時間［ｈｔ］に反映時間［ｈｔｘ］を加える。
【００６９】
なお、本実施例では反映時間と解凍時間とが同値の場合には反映時間を優先しているが、解凍時間を優先する方式であっても可能である。
【００７０】
次に、現在の反映ＳＥＣ番号ｈｓ［ｘ］に１を加えたＳＥＣ番号ｈｓ［ｘ＋１］から解凍ＳＥＣ番号の初期値［ｋｓＭ］までのログレコードを抽出する（ＳＴ１４）。
【００７１】
レコードが有る場合（ＳＴ１５：Ｙｅｓ）、反映ＳＥＣ番号ｈｓ［ｘ＋１］から解凍ＳＥＣ番号の初期値［ｋｓＭ］までのログファイルについて圧縮処理を行い（ＳＴ１６）、圧縮ファイルを作成する（ＳＴ１７）。一方、レコードが無い場合（ＳＴ１５：Ｎｏ）、圧縮対象は存在しないので、圧縮状況管理処理（ＳＴ１８）を行う。
【００７２】
図８は、圧縮状況データベース６０に登録するフローチャートである。
【００７３】
データ圧縮プログラムは、対ＩＤ６３の新規設定をする（ＳＴ４１）。この処理により非圧縮対象のログレコード群を格納するデータレコードと圧縮対象のログレコード群を格納するデータレコードが作成される。
【００７４】
次に、先頭ＳＥＣ番号ｈｓ［０］を開始ＳＥＣ番号６１、反映ＳＥＣ番号ｈｓ［ｘ］を終了ＳＥＣ番号６２に登録し（ＳＴ４２）、圧縮フラグ６４を０に設定し（ＳＴ４３）、反映時間［ｈｔ］を反映時間６５に登録する（ＳＴ４４）。以上により非圧縮のログレコード群の登録が完了する。
【００７５】
次に、反映ＳＥＣ番号に１を加えた反映番号ｈｓ［ｘ＋１］を開始ＳＥＣ番号６１とし、ｋｓ［Ｍ］を終了ＳＥＣ番号６２に登録し（ＳＴ４５）、圧縮フラグ６５を１に設定し（ＳＴ４６）、解凍時間［ｋｔ］を解凍時間６６に登録し（ＳＴ４７）、反映時間［Ｋｈｔ］を反映時間６５に登録し（ＳＴ４８）、圧縮ファイル名６７を登録する（ＳＴ４９）。以上により圧縮対象のログレコード群の登録が完了する。
【００７６】
なお、図８におけるＳＴ４２乃至ＳＴ４９については、順序は任意である。
【００７７】
図９は、データ復旧時の処理についてのフローチャートである。
【００７８】
データ反映時においては、圧縮状況データベース６０の対ＩＤ６３に対応する２つのデータレコードを抽出する（ＳＴ３１）。
【００７９】
次に、圧縮フラグ６４が０に対応するログデータ群を「反映」処理ＳＥＣ番号に登録する（ＳＴ３２）。これは、開始ＳＥＣ番号６１乃至終了ＳＥＣ番号６２を登録することである。また、圧縮フラグ６４が１のファイル名６７を「解凍」処理ＳＥＣ番号に登録する（ＳＴ３３）。
【００８０】
各個別にデータ情報の反映処理および圧縮されたデータ情報の解凍処理を行う（ＳＴ３４）。各処理の処理完了のタイミングは、ほぼ同時刻となる。
【００８１】
次に、次の対ＩＤ６３の有無を判定する（ＳＴ３５）。
【００８２】
次の対ＩＤ６３が存在する場合（ＳＴ３５：Ｙｅｓ）、解凍済ログデータを「反映」処理ＳＥＣ番号に登録する（ＳＴ３６）。
【００８３】
一方、次の対ＩＤ６３が存在しない場合（ＳＴ３５：Ｎｏ）、ＳＴ３４にて行った、解凍済ログデータについて「反映」処理を行い（ＳＴ３７）、全データの復旧は完了したため、処理は終了する。
【００８４】
図１２は、上記のデータサーバ２０のハードウェア構成の一例を示す図である。
【００８５】
同図に示すデータサーバ２０は、ＣＰＵ２１、メモリ２２、入力手段２３、出力手段２４、記憶手段２５、ネットワーク接続手段２６等を有し、これらがバス２７に接続された構成となっている。なお、同図に示した構成は一例であり、これに限るものではない。
【００８６】
ＣＰＵ２１は、当該データサーバ２０全体を制御する中央処理装置である。
【００８７】
メモリ２２は、プログラム実行、データ更新等の際に、記憶手段２５に記憶されているプログラムやデータを一時的に格納するＲＡＭ等のメモリである。ＣＰＵ２１は、メモリ２２に読み出したプログラムやデータを用いて、上述の図６乃至図９等を用いて説明したデータ圧縮処理動作に係る処理を含む各種処理を実行する。
【００８８】
入力手段２３は、例えばキーボード、マウス、タッチパネル等である。
【００８９】
出力手段２４は、例えばディスプレイ（表示装置）等である。
【００９０】
記憶手段２５は、例えばハードディスク装置等であり、プログラム（上述のデータ圧縮処理動作に係る処理をデータサーバ２０に実行させるプログラムを含む）やデータ（上述の更新ログファイル３０、反映時間データベース４０、解凍時間データベース５０、圧縮状況データベース６０、マスターデータ７０を含む）が格納される。
【００９１】
ネットワーク接続手段２７は、ネットワーク（インターネット、ＬＡＮ等）に接続して、外部の情報処理装置とプログラムやデータの送受信を可能にする構成である。
【００９２】
また、上記プログラムを記録した記録媒体又はプログラムのダウンロードも可能である。
【００９３】
上記の各種処理を実行させるプログラムやデータ読み出してメモリ２２に格納し実行するものであってもよいし、また、上記プログラムやデータは、ネットワーク接続手段２７により接続されているネットワーク（インターネット等）を介して、外部のプログラムやサーバに記憶されているプログラムやデータをダウンロードするものであってもよい。
【００９４】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【００９５】
【図１】図１は、本実施例におけるシステム構成図である。
【図２】図２は、更新ログファイル３０の構成図である。
【図３】図３は、反映時間データベース４０の構成図である。
【図４】図４は、解凍時間データベース５０の構成図である。
【図５】図５は、圧縮状況データベース６０の構成図である。
【図６】図６は、圧縮更新ログファイル３０特定のためのフローチャートである。
【図７】図７は、圧縮更新ログファイル３０特定のためのフローチャート（２）である。
【図８】図８は、圧縮状況データベース６０に登録するフローチャートである。
【図９】図９は、データ復旧時の処理についてのフローチャートである。
【図１０】図１０は、更新ログファイル３０の模式図である。
【図１１】図１１は、更新対象ログファイルの今回の圧縮対象についての模式図である。
【図１２】図１２は、上記のデータサーバ２０のハードウェア構成の一例を示す図である。
【符号の説明】
【００９６】
１０  処理サーバ
２０  データサーバ
【図１】
0004811076.tif 000002
【図２】
0004811076.tif 000003
【図３】
0004811076.tif 000004
【図４】
0004811076.tif 000005
【図５】
0004811076.tif 000006
【図６】
0004811076.tif 000007
【図７】
0004811076.tif 000008
【図８】
0004811076.tif 000009
【図９】
0004811076.tif 000010
【図１０】
0004811076.tif 000011
【図１１】
0004811076.tif 000012
【図１２】
0004811076.tif 000013